(57)【要約】【課題】球通過経路に回転可能に設けられた対の回転体によって球が保持されて所定位置まで移送されて放出される際、球の放出方向が不測に変化する不具合を軽減することができる遊技機を提供する。【解決手段】球通過経路には、対をなす回転体１００が互いに反対方向にかつ縦方向の軸線回りにそれぞれ回転可能に設けられる。対の回転体１００の相対する外周面の間には球Ｂを所定方向に指向させて放出する球放出案内部１１０が形成される。また、対の回転体１００の上面には、球通過経路の球Ｂを受ける球受け部１０２がそれぞれ形成されるとともに、これら球受け部１０２には球Ｂを解放可能に保留する球保留部１０３がそれぞれ設けられる。対の回転体１００の球保留部１０３に対し、その球保留部１０３に保留された球Ｂを解放して球放出案内部１１０に向けて転動させる球解放手段９６が設けられている。【選択図】　　　　図５
2004097558.tif 000002
【特許請求の範囲】
【請求項１】
球通過経路には、対をなす回転体が互いに反対方向にかつ縦方向の軸線回りにそれぞれ回転可能に設けられ、
前記対の回転体の相対する外周面の間には球を所定方向に指向させて放出する球放出案内部が形成され、
前記対の回転体の上面には、球を受ける球受け部がそれぞれ形成されるとともに、これら球受け部には球を解放可能に保留する球保留部がそれぞれ設けられ、
前記対の回転体の球保留部に対し、その球保留部に保留された球を解放して前記球放出案内部に向けて転動させる球解放手段が設けられている遊技機。
【請求項２】
請求項１に記載の遊技機であって、
対の回転体上面の球受け部は、球保留部から解放された球が自重によって球放出案内部に流れるように略傾斜状に形成されている遊技機。
【請求項３】
請求項１又は２に記載の遊技機であって、
対の回転体は球通過経路の一部を構成する球受け棚の略中央部の左右部において一対をなして配設されることで、これら対の回転体の外周面の間の球放出案内部が前記球受け棚の略中央部に設けられ、
前記球放出案内部の下方には、遊技者に対し有利となる領域が設けられている遊技機。
【請求項４】
請求項１〜３のいずれか一項に記載の遊技機であって、
球通過経路の一部において、その後側縁には、球解放手段を構成する後側壁が設けられる一方、
対の回転体の球保留部には磁力によって球を保留する磁石が設けられ、
前記回転体の球保留部の球が前記後側壁に当接して同球保留部から解放される構成にしてある遊技機。
【発明の詳細な説明】
【０００１】
【発明の属する技術分野】
この発明は、例えばパチンコ機のような弾球遊技機等の遊技機に関する。
【０００２】
【従来の技術】
従来、遊技機としてのパチンコ機において、球通過経路の一部を構成する球受け棚が設けられたものが知られている。
また、このような球受け棚において、その球受け棚上を流れる球に変化を与えるために、例えば、球受け棚の中央部に左右一対の回転体を互いに反対方向にかつ略上下方向の軸線回りにそれぞれ回転可能に配設したものが知られている。
また、一対の回転体の外周面の所定位置には球を磁力によって吸着する磁石が設けられ、その球を一対の回転体の外周面の間に設けられた略三角形状の球放出案内部において放出するように構成したものがある（例えば、特許文献１参照）。
【０００３】
【特許文献１】
特開２０００−１４０２５０公報（第２頁〜第５頁、図４）
【０００４】
【発明が解決しようとする課題】
ところで、前記した従来のものにおいては、一対の回転体の外周面に磁力によって球を吸着した後、その球を一対の回転体の外周面の間の球放出案内部に向けて移送し放出する際、次に述べるような不具合が生じることがある。
例えば、一対の回転体の外周面の略対称位置（一対の回転体の配設中心線に対し略線対称をなす位置）に球がそれぞれ吸着されて移送されたときには、一対の回転体の外周面の間の球放出案内部に球が当接する所定位置まで球が移送される前に、球同士が衝突して球放出案内部の手前側で球が放出されることがある。この場合には、球が所望とする方向に指向することなく放出されるため、その球の放出方向が不測に変化する。
また、一対の回転体のうち、一方の回転体の外周面に吸着された球が球放出案内部に当接する所定位置まで移送され、その球が所定方向に指向されて放出される際、一方の回転体から放出された球が、他方の回転体の外周面に吸着された球に当たってその放出方向が不測に変化する場合もあった。
【０００５】
この発明の目的は、前記従来の問題点に鑑み、球通過経路に回転可能に設けられた対の回転体によって球が保持されて所定位置まで移送されて放出される際、球の放出方向が不測に変化する不具合を軽減することができる遊技機を提供することである。
【０００６】
【課題を解決するための手段】
前記目的を達成するために、請求項１の発明に係る遊技機は、球通過経路には、対をなす回転体が互いに反対方向にかつ縦方向の軸線回りにそれぞれ回転可能に設けられる。前記対の回転体の相対する外周面の間には球を所定方向に指向させて放出する球放出案内部が形成される。また、前記対の回転体の上面には、前記球通過経路の球を受ける球受け部がそれぞれ形成されるとともに、これら球受け部には球を解放可能に保留する球保留部がそれぞれ設けられる。前記対の回転体の球保留部に対し、その球保留部に保留された球を解放して前記球放出案内部に向けて転動させる球解放手段が設けられている。
したがって、球通過経路を通る球が対の回転体上面の球受け部にそれぞれ受けられ、その球が球保留部に解放可能に保留される。その後、球は回転体の回転動作によって同回転体と一体状をなして所定位置まで移送される。
このようにして、対の回転体上面の球保留部に球を保持して移送することで、球が相互に衝突する不具合が軽減される。
そして、回転体上の球保留部の球が球解放手段によって解放されることで、その球が球放出案内部に向けて転動する。この結果、球が球放出案内部において所定方向に指向されて放出される。
【０００７】
請求項２の発明に係る遊技機は、請求項１に記載の遊技機であって、対の回転体上面の球受け部は、球保留部から解放された球が自重によって球放出案内部に流れるように略傾斜状に形成されている。
したがって、対の回転体上面の球受け部が略傾斜状に形成される極めて簡単な構造によって、球保留部から解放された球を自重によって球放出案内部に向けて流下させることができる。
また、仮に、対の回転体の球保留部から球が略同時に解放され、これら球が相互に衝突し、跳ね返った場合においても、これら球は、球受け部の傾斜面に案内されて球放出案内部に順次に流れることとなる。この結果、対の回転体の球保留部から解放された球は球放出案内部に良好に流れる。
【０００８】
請求項３の発明に係る遊技機は、請求項１又は２に記載の遊技機であって、対の回転体は球通過経路の一部を構成する球受け棚の略中央部の左右部において一対をなして配設されることで、これら対の回転体の外周面の間の球放出案内部が前記球受け棚の略中央部に設けられる。前記球放出案内部の下方には、遊技者に対し有利となる領域が設けられている。
したがって、球通過経路を通る球が左右方向に延びる球受け棚上の対の回転体上面の球保留部に保持されると、その後、回転体の回転動作によって、球受け棚の略中央部の球放出案内部に対応する位置まで移送されて解放される。このため、球受け棚の略中央部の球放出案内部に向けて球が流れる。また、球放出案内部において所定方向に指向されて放出された球は、球放出案内部の下方の遊技者に対し有利となる領域（例えば入賞口）に向けて流れる。この結果、回転体上面の球保留部に球が保留されると、その球は高い確率で遊技者に対し有利となる領域流入する。
【０００９】
請求項４の発明に係る遊技機は、請求項１〜３のいずれか一項に記載の遊技機であって、球通過経路の一部において、その後側縁には、球解放手段を構成する後側壁が設けられる。一方、対の回転体の球保留部には磁力によって球を保留する磁石が設けられる。そして、前記回転体の球保留部の球が前記後側壁に当接して同球保留部から解放される構成にしてある。
したがって、回転体の球保留部に設けた磁石の磁力によって球保留部に球を確実に吸着して保持することができるとともに、その球を球通過経路の後側壁に当接させて解放することができる。
【００１０】
【発明の実施の形態】
この発明の実施の形態を図面にしたがって説明する。
なお、説明の便宜上、遊技機の遊技者に対する側を前、反対側を後という。
遊技機（弾球遊技機、主としてパチンコ機）の所定位置に配置される遊技盤を正面で表した図１において、遊技盤１０前面の周縁部には、外レール１２と内レール１３とを備えた案内レール１１が装着されている。案内レール１１の内側には、遊技領域１５が区画形成されるとともに、外レール１２と内レール１３との間には、球発射装置（図示しない）によって発射された球（パチンコ球）を遊技領域１５の上部に案内する球発射通路１４が形成されている。
遊技盤１０前面の遊技領域１５の略中央部には役物装置４０が装着されている。
また、遊技盤１０前面の遊技領域１５内には、その役物装置４０の片側（図１に向かって左側）に位置して普通図柄始動用ゲート口２０が設けられている。
【００１１】
また、遊技盤１０前面の遊技領域１５内には、役物装置４０の下方中央部に位置しかつ遊技者に対し有利となる領域としての入球口、この実施の形態においては可変始動口２６（球の払い出しがなされる入賞口でもある）を備えた入球装置２５が配設されている。また、可変始動口２６には、一対の開閉部材２８が開閉可能に設けられ、これら開閉部材２８が開いて可変始動口２６が拡開されたときには球Ｂが流入し易く、開閉部材２８が閉じて可変始動口２６が狭くなったときには球Ｂが流入し難くなるように構成されている。
また、入球装置２５の可変始動口２６（入球口）に球Ｂが流入すると、後述する図柄表示装置４５が作動するようになっている。なお、球Ｂが普通図柄始動用ゲート口２０を通過することで、後述する普通図柄表示部４７が作動して普通図柄の抽選が行われる。そして、普通図柄表示部４７の抽選に基づいて、入球装置２５の開閉部材２８が所定時間（例えば、１秒間）開放し、これによって入球装置２５の可変始動口２６が拡開してその可変始動口２６に球Ｂが流入し易くなっている。
【００１２】
また、遊技盤１０前面の遊技領域１５内には、その入球装置２５の下方に位置してアタッカ装置３０が装着されている。このアタッカ装置３０には、その略中央部に開閉扉３１によって開閉される大入賞口３２が設けられている。
また、遊技盤１０前面の遊技領域１５内には、その最下端に位置しかつアタッカ装置３０の下方においてアウト口３３が形成され、さらに、アタッカ装置３０の左右両側方に位置して所定数（図１では４つ）の一般入賞口３７が設けられている。
また、遊技盤１０前面の遊技領域１５の左右両側部には発光レンズを有するサイド装飾部材３５が配設されている。また、遊技盤１０前面の遊技領域１５内の所定箇所に風車器１８が配設されるとともに、遊技領域１５内の略全域にわたって多数の釘（図示しない）が配設されている。
【００１３】
図１と図２に示すように、役物装置４０は、その主体部をなす役物本体４１と図柄表示装置４５とを備えている。
役物装置４０の本体部をなす役物本体４１は、複数の本体構成部材によって形成され、遊技盤１０の略中央部に貫設された役物装着孔の前面開口部の周縁を塞ぐようにして枠状に構成されている。そして、役物本体４１はビス等によって遊技盤１０の前面（盤面）に取り付けられている。
役物本体４１の略中央部には、四角形、円形等の開口窓が形成されている。
役物本体４１の開口窓の後側には、図柄表示装置４５が装着されている。この図柄表示装置４５の表示部４６の略全域には、特別図柄が変動表示される特別図柄表示領域が設けられている。また、表示部４６の一部には、普通図柄が変動表示される普通図柄表示部４７が設けらている。
【００１４】
図２に示すように、役物本体４１の左右両側部には、遊技盤１０の盤面（前面）上を流れる球Ｂが流入可能な流入口５１を有するワープ通路５０がそれぞれ設けられている。また、流入口５１には、遊技盤１０の盤面（前面）上を流れる球Ｂを受けその球Ｂを流入口５１に導く受口体５２が形成されている。
役物本体４１の下部には、両流入口５１からそれぞれ流入した球Ｂを受け、これら球Ｂのうち、一部の球Ｂを可変始動口２６（この発明の遊技者に対し有利となる領域に相当する）に導き、他の球Ｂを可変始動口２６から外れる方向に流下させる球通過経路を構成するための球受け棚装置６０が設けられている。
【００１５】
図２〜図５に示すように、球受け棚装置６０の主体部は、左右方向に延びる上段の球受け棚６１と、その上段の球受け棚６１の下部前側において左右方向に延びる下段の球受け棚９１とを段差状に有している。
上段の球受け棚６１上には、ワープ通路５０の流出口５５から流出した球Ｂを転動可能に受ける球通路６２が形成されている。この上段の球受け棚６１の球通路６２は、その略中央部に突設された凸部６４と、その凸部６４の左右両側部に凹設された左右の両凹部６３とをそれぞれ連続状に備えて略波形の凹凸面に形成されている。
また、左右の両凹部６３は、球Ｂを前側下方に向けて落下させるために前側に向けて下傾する傾斜状に形成されている。さらに、上段の球受け棚６１の前側縁には、左右の両凹部６３を除く部分において球Ｂの落下を阻止するための前突縁６５が上方に向けて突設されている。
また、上段の球受け棚６１には、その球通路６２の後側縁（一側縁）に沿って立ち上がる通路壁６６が所定の高さで形成されている（図５参照）。
【００１６】
上段の球受け棚６１の通路壁６６の後面側（背面側）には、その上段の球受け棚６１上の球通路６２を転動する球Ｂに吸引力を作用させてその球Ｂの動きに変化を与える吸引機構が配設されている。
この実施の形態において、吸引機構は球Ｂを磁力によって通路壁６５の前面側に吸引する磁力吸引機構７０によって構成されるとともに、通路壁６６の後面側に接近及び離反する磁石７５を有している。
すなわち、図３〜図７に示すように、磁力吸引機構７０は、揺動部材７１と、その揺動部材７１を駆動するための駆動手段としてのモータ８１と、を主体として構成されている。
揺動部材７１は、通路壁６６の後面側に沿って延びる磁石装着板７４と、その磁石装着板７４から下方に向けて一体状に延出された所定数の脚部７３と、を有している。また、磁石装着板７４には、上段の球受け棚６１の左右の凹部６３にそれぞれ対応する位置において磁石７５（永久磁石）が装着されている。
【００１７】
図６と図７に示すように、磁石装着板７４は、その脚部７３の下端部において軸７２を中心として回動可能に役物本体４１の所定位置に装着されている。そして、磁石装着板７４は、軸７２を中心として往復回動（揺動）することにより、その磁石装着板７４の磁石７５が通路壁６６の後面側に対し進退して接近及び離反するようになっている。
また、磁石装着板７４は、付勢手段によって後退方向に付勢され、モータ８１の出力軸によって回転動作される作動カム体８３のカム面８４によって、付勢手段の付勢力に抗して前進されるようになっている。また、この実施の形態において、磁石装着板７４の脚部７３下端部から後方に向けてアーム部７６が一体状に延出され、そのアーム部７６の延出端部には、磁石装着板７４を後退方向に付勢するための付勢手段を構成する錘７８が設けられている。
【００１８】
前記した球受け棚装置６０の球通過経路の一部、この実施の形態おいて下段の球受け棚９１上には、略水平方向の円盤状をなす左右一対の回転体１００が左右方向に所定間隔を隔るとともに、互いに反対方向にかつ縦方向の軸線回りにそれぞれ回転可能に設けられている。
図３〜図５に示すように、対の回転体１００は、下段の球受け棚９１の後側縁に沿って立ち上がる後側壁９６の前側に対し、略前側半円部がそれぞれ露出された状態で設けられている。そして、対の回転体１００の相対する外周面の間には球を所定方向（前方）に指向させて放出する略三角形状の球放出案内部１１０が形成されている。
また、対の回転体１００は下段の球受け棚９１の略中央部の左右部において一対をなして配設されることで、これら対の回転体１００の外周面の間の球放出案内部１１０が下段の球受け棚９１の略中央部に設けられている。そして、球放出案内部１１０の下方には、遊技者に対し有利となる領域としての可変始動口２６が設けられている。
【００１９】
図３と図５に示すように、対の回転体１００上面には、上段の球受け棚６１から流れ落ちた球Ｂを受ける球受け部１０２がそれぞれ形成されるとともに、これら球受け部１０２には球Ｂを解放可能に保留する所定数の球保留部１０３がそれぞれ設けられている。そして、対の回転体１００の球保留部１０３に保持された球Ｂは、下段の球受け棚９１の後側壁９６に当接して同球保留部１０３から解放される構成にしてある。すなわち、この実施の形態において、下段の球受け棚９１の後側壁９６がこの発明の球解放手段を構成している。
また、図４に示すように、対の回転体１００の球受け部１０２には、複数（例えば４個）の球保留部１０３が所定角度（例えば９０度）の角度を隔てて配設されている。また、対の回転体１００の各球保留部１０３には磁力によって球Ｂを保留する磁石１０５が埋め込み状に配設されている。
また、図３に示すように、対の回転体１００上の球受け部１０２は、球保留部１０３から解放された球Ｂが自重によって球放出案内部１１０に流れるように傾斜したテーパ状に形成されている。
【００２０】
また、この実施の形態において、図３に示すように、対の回転体１００は、それぞれ別のモータ１２０によって反対方向に回転駆動される場合を例示しているが、対の回転体１００を、１つのモータを駆動源とし、歯車列機構等のトルク伝達機構を介して回転駆動することもできる。
また、この実施の形態において、図８に示すように、磁石装着板７４の磁石７５の磁力作用を受けて通路壁６６の前側面に吸着された球Ｂが、図９に示すように、磁石装着板７４の磁石７５の後退によって解放されて下段の球受け棚９１に配設の回転体１００の球受け部１０２に落下する際、その球Ｂが球受け部１０２の球保留部１０３の磁石１０５の磁力作用によって吸着保持されるように、上段の球受け棚６１の通路壁６６の後側面に対する磁石装着板７４の磁石７５の進退速度（磁力吸引機構７０の揺動部材７１の軸７２を中心とする揺動速度）と、対の回転体１００の回転速度とが適宜に設定されている。
また、揺動部材７１のモータ８１及び対の回転体１００のモータ１２０は、遊技機の所定位置に設置された制御装置（例えば、主制御基板とも呼ばれている制御基板）に電気的に接続されている。このため、その制御装置から伝達される信号によって揺動部材７１のモータ８１及び対の回転体１００のモータ１２０を任意に作動制御することもできる。
【００２１】
この実施の形態に係る遊技機は上述したように構成される。したがって、遊技の際、図示しない球発射装置から球発射通路１４に発射された球Ｂ（パチンコ球Ｂ）は、遊技領域１５の上部に打ち出され、多数の釘、風車器１８等に案内されながら遊技領域１５の下部に向けて流れる。
遊技領域１５に打ち出された球Ｂのうち、一部の球Ｂは普通図柄始動用ゲート口２０を通過したり、あるいは、入球装置２５の可変始動口２６、一般入賞口３７等の入球口に流入する。また、これら入球口に流入しなかった多くの球Ｂは遊技領域１５の下部のアウト口３３に流入し、機外に排出される。
【００２２】
球Ｂが普通図柄始動用ゲート口２０を通過すると、その球Ｂがセンサによって検出され、その検出信号が遊技機の所定位置に設置された制御装置（例えば、主制御基板とも呼ばれている制御基板）に送られる。すると、その信号が図柄表示装置４５に伝達され、その表示部４６の一部に設けられた普通図柄表示部４７の図柄が変動する。そして普通図柄表示部４７には、抽選結果に基づく図柄が表示される。
普通図柄表示部４７の図柄が当たり図柄となって表示されると、入球装置２５の可変始動口２６の開閉部材２８が所定時間（例えば、１秒間）開放して閉じる。
入球装置２５の可変始動口２６に球Ｂが流入すると、その球Ｂがセンサによって検出され、その検出信号が主制御装置に送られる。すると、その信号が図柄表示装置４５に伝達され、これによって表示部４６に表示された図柄が変動し、設定時間後停止する。そして、表示部４６には抽選結果に基づく図柄が表示される。
【００２３】
表示部４６に表示された図柄が「大当たり図柄」、例えば「７・７・７」となって停止した場合、大当たりとなる。すると、アタッカ装置３０の開閉扉３１によって大入賞口３２が開かれる。大入賞口３２に球Ｂが１０個流入するか、あるいは、３０秒経過すると、開閉扉３１によって大入賞口３２が閉じられる。
大入賞口３２の開放時において、その大入賞口３２に設けられた特定領域に球Ｂが入ると、開閉扉３１によって大入賞口３２が一旦閉じられた後、再び開かれる。開閉扉３１によって大入賞口３２が所定回数、例えば、最大１６回（すなわち１６ラウンド）開閉を繰り返すことで、大当たり遊技が終了する。
【００２４】
遊技の際、図１と図２に示すように、遊技領域１５に打ち出された球Ｂのうち、一部の球Ｂは、役物本体４１の左右両側に配置されたワープ通路５０の流入口５１から流入し、そのワープ通路５０に流れる。
ワープ通路５０に流れその流出口５５から流出した球Ｂは、球受け棚装置６０の球通過経路を流れる。
この実施の形態において、図４と図５に示すように、流出口５５から流出した球Ｂは、まず、上段の球受け棚６１の球通路６２に流れて転動するとともに、その凹凸面に沿って左右方向へ揺動する。そして、上段の球受け棚６１の球通路６２に流れた球Ｂは、その球通路６２の左右の両凹部６３のいずれか一方の凹部６３から前方に向けて落下する。
上段の球受け棚６１の球通路６２のいずれか一方の凹部６３から落下した球Ｂは、下段の球受け棚９１の上面やその下段の球受け棚９１上に設けられた対の回転体１００の球受け部１０２上に受けられる。そして、下段の球受け棚９１の上面や対の回転体１００の球受け部１０２上に受けられた球Ｂは、下段の球受け棚９１の前側放出部から落下する。
【００２５】
対の回転体１００の球受け部１０２上に受けられ球Ｂのうち、一部の球Ｂは、対の回転体１００の球保留部１０３に対し磁石１０５の磁力によって吸着保持される。そして、対の回転体１００の球保留部１０３に保持された球Ｂは、対の回転体１００の回転動作によって、これら対の回転体１００と一体状をなしかつ互いに接近する方向に移送される（図９参照）。
図１０に示すように、対の回転体１００の球保留部１０３に保持された球Ｂが球解放手段としての後側壁９６に当接する所定位置まで移送されると、引き続く対の回転体１００の回転動作によって、対の回転体１００の球保留部１０３が球Ｂから遠ざかり、これによって、球保留部１０３から球Ｂが解放される。
【００２６】
図３と図１０に示すように、対の回転体１００の球受け部１０２は、球放出案内部１１０に向けて傾斜するテーパ状に形成されているため、対の回転体１００の球保留部１０３から解放された球Ｂは、自重によって球受け部１０２を経て球放出案内部１１０に流れる。そして、球放出案内部１１０に流れた球Ｂは、その球放出案内部１１０において所定方向、すなわち、下方に向けて直線状に指向されて放出される。
球放出案内部１１０から下方に向けて直線状に指向されて放出された球Ｂは、それ以外の方向に流れた球Ｂよりも高い確率で可変始動口２６（遊技者に対し有利となる領域）に流入する。
【００２７】
また、対の回転体１００の対称上に位置する球保留部１０３に球Ｂがそれぞれ保留された場合、対の回転体１００の球保留部１０３に対する磁力による球Ｂの保留状態の差によって、これら球Ｂの解放時期に若干のバラツキが生じる。このため、対の回転体１００の球保留部１０３から解放されて球受け部１０２にそれぞれ流れた球Ｂが相互に衝突することが軽減される。
また、仮に、対の回転体１００の球保留部１０３から球Ｂが略同時に解放され、これら球Ｂが相互の球受け部１０２において衝突し、跳ね返った場合においても、これら球Ｂは、球受け部１０２の傾斜面に案内されて球放出案内部１１０に順次に流れることとなる。
このため、対の回転体１００の球保留部１０３から解放された球Ｂは、高い確率で、球放出案内部１１０に流れ、その球放出案内部１１０から下方に向けて直線状に指向されて放出される。
【００２８】
前記したように、この実施の形態によると、対の回転体１００上面の球保留部１０３に球Ｂを保持して、これら対の回転体１００と一体状をなしかつ互いに接近する方向に移送することで、従来の回転体の外周面に球を保持して移送するものと異なり、球Ｂが相互に衝突することが回避される。
また、対の回転体１００の球保留部１０３に設けた磁石１０５の磁力によって球保留部１０３に球Ｂを確実に吸着して保持することができるとともに、その球Ｂを下段の球受け棚９１の後側壁９６を球解放手段として解放することができる。
また、対の回転体１００の球受け部１０２が略傾斜状（テーパ状）に形成される極めて簡単な構造によって、球保留部１０３から解放された球Ｂを自重によって球受け部１０２を経て球放出案内部１１０に流下させることができる。
【００２９】
なお、この発明は実施の形態に限定するものではない。
例えば、前記実施の形態においては、球受け棚装置６０が上段の球受け棚６１と、下段の球受け棚９１とを段差状に有し、その下段の球受け棚９１に対し左右一対をなす回転体１００が配設された場合を例示したが、球受け棚装置６０が一つの球受け棚によって構成され、その球受け棚に一対または複数対をなす回転体を配設した場合においてもこの発明を実施することが可能である。言い換えると、上段の球受け棚６１や磁力吸引機構７０が配設されない場合においてもこの発明を実施することが可能である。
また、前記実施の形態においては、一対をなす回転体１００の球保留部１０３に磁石１０５を設け、その磁石１０５の磁力作用によって球Ｂが吸着保持される構造にしたが、例えば、一対をなす回転体１００の球保留部１０３を凹ませて球Ｂを解放可能に保持する構成にしてもよい。
また、対をなす回転体１００の球保留部１０３を凹ませて球Ｂを解放可能に保持する構成に加え、その凹まされた球保留部１０３の底部近傍に磁力作用によって球Ｂが吸着保持する磁石を設けてもよい。この場合には、磁石１０５の磁力作用のみによって球Ｂを保持する場合、あるいは、凹みのみによって球Ｂを保持する場合に比べ、球Ｂの保持力が高められる。このため、回転体１００の球保留部１０３に向けて流れる球Ｂを良好に保持することができるとともに、球保留部１０３に保持された球Ｂが不測に落下する不具合を防止することができる。
また、前記実施の形態においては、役物装置４０（第１種のパチンコ機の役物装置）における役物本体４１の下部に球受け棚装置６０が配設される場合を例示したが、第２種、第３種のパチンコ機の役物装置に対して球受け棚装置６０が配設される場合においてもこの発明を実施することが可能である。
【００３０】
【発明の効果】
以上述べたように、この発明によれば、球通過経路に回転可能に設けられた対の回転体上面の球保留部に球を解放可能に保持して所定位置まで移送することで、球同士が衝突することを解消することができる。このため、球保留部の球が解放されたときには、その球が球放出案内部に良好に流れる。この結果、球放出案内部において球を所定方向に指向させて放出することができ、球の放出方向が不測に変化する不具合を軽減することができる。
【図面の簡単な説明】
【図１】この発明の実施の形態に係る遊技機の遊技盤を示す正面図である。
【図２】同じく役物装置を示す拡大して示す正面図である。
【図３】同じく役物装置の下部に設けられた球受け棚装置を拡大して示す正面図である。
【図４】同じく球受け棚装置を示す平面図である。
【図５】同じく球受け棚装置を前側から示す斜視図である。
【図６】同じく球受け棚装置の磁力吸引機構の揺動部材に設けた磁石装着板が後退した状態を示す斜視図である。
【図７】同じく球受け棚装置の磁力吸引機構の揺動部材に設けた磁石装着板が前進した状態を示す斜視図である。
【図８】同じく球受け棚装置の上段の球受け棚の球通路の球が磁力吸引機構の磁石によって通路壁に吸引された状態を示す説明図である。
【図９】同じく球受け棚装置の上段の球受け棚の球通路の球が解放され回転体の球保留部の保留された状態を示す説明図である。
【図１０】同じく球受け棚装置の回転体の球保留部の保留された球が球放出案内部に向けて流れた後、所定方向に指向されて放出される状態を示す説明図である。
【符号の説明】
１０　遊技盤
２６　可変始動口（遊技者に対し有利となる領域）
４０　役物装置
４１　役物本体
５０　ワープ通路
６０　球受け棚装置
６１　上段の球受け棚
６２　球通路
６６　通路壁
７０　磁力吸引機構（吸引機構）
９１　下段の球受け棚
９６　後側壁（球解放手段）
１００　対の回転体
１０２　球受け部
１０３　球保留部
１０５　磁石
１１０　球放出案内部
１２０　モータ（駆動手段）
【図１】
2004097558.tif 000003
【図２】
2004097558.tif 000004
【図３】
2004097558.tif 000005
【図４】
2004097558.tif 000006
【図５】
2004097558.tif 000007
【図６】
2004097558.tif 000008
【図７】
2004097558.tif 000009
【図８】
2004097558.tif 000010
【図９】
2004097558.tif 000011
【図１０】
2004097558.tif 000012